(57)【要約】【課題】燃料噴射弁での燃圧又は燃温をセンサ装置で検出して演算装置で算出するにあたり、その算出精度の向上を図った燃料噴射弁用検出装置を提供する。【解決手段】燃圧に応じて圧力検出信号を出力する燃圧検出回路２２を有したセンサ装置２０と、基準電圧に対する圧力検出信号の電圧値に基づき燃圧を算出するＥＣＵ（演算装置）と、を備える。そしてＥＣＵは、燃圧検出回路２２への印加電圧に応じた比較電圧を取得し、取得した比較電圧と基準電圧との偏差を算出する。一方、センサ装置２０は、ＥＣＵで算出された偏差を小さくするよう印加電圧を調整する。これによれば、印加電圧と基準電圧とのずれが解消されるので、燃圧の算出精度を向上できる。【選択図】      図２
2010285889.tif 000002
【特許請求の範囲】
【請求項１】
内燃機関に設けられた燃料噴射弁に搭載され、検出対象物理量である燃料圧力又は燃料温度に応じて検出信号を出力する検出回路を有したセンサ装置と、
基準電圧に対する前記検出信号の電圧値に基づき前記物理量を算出する演算装置と、
を備え、
前記演算装置は、前記検出回路への印加電圧に応じた比較電圧を取得する取得手段、及び取得した前記比較電圧と前記基準電圧との偏差を算出する偏差算出手段を有し、
前記センサ装置は、算出された前記偏差を小さくするよう前記印加電圧を調整する印加電圧調整手段を有することを特徴とする燃料噴射弁用検出装置。
【請求項２】
前記検出回路が、燃料圧力に応じて検出信号を出力する燃圧検出回路であり、前記演算装置が、前記燃圧検出回路から出力される検出信号に基づき燃料圧力を算出する場合において、
前記印加電圧に対する調整量を前記偏差に基づき算出する調整量算出手段と、
算出した前記調整量を燃料温度と関連付けて記憶する記憶手段と、
を備え、
前記印加電圧調整手段は、前記記憶手段に記憶された調整量に基づき前記印加電圧を調整することを特徴とする請求項１に記載の燃料噴射弁用検出装置。
【請求項３】
前記センサ装置は、前記燃圧検出回路に加え、燃料温度に応じて検出信号を出力する燃温検出回路を有し、
前記演算装置は、前記燃料圧力の算出に加え、前記燃温検出回路から出力される検出信号に基づき燃料温度を算出し、
燃料温度と関連付けて前記調整量を前記記憶手段に記憶させるにあたり、前記演算装置により算出された燃料温度を用いて関連付けさせることを特徴とする請求項２に記載の燃料噴射弁用検出装置。
【請求項４】
内燃機関に設けられた燃料噴射弁に搭載され、検出対象物理量である燃料の圧力又は温度に応じた検出信号を出力する検出回路を有したセンサ装置と、
基準電圧に対する前記検出信号の電圧値に基づき前記物理量を算出する演算装置と、を備え、
前記演算装置は、前記検出回路への印加電圧に応じた比較電圧を取得する取得手段、及び取得した前記比較電圧と前記基準電圧との偏差を算出する偏差算出手段を有し、算出した前記偏差を加味して前記物理量を算出することを特徴とする燃料噴射弁用検出装置。
【請求項５】
前記検出回路が、燃料圧力に応じて検出信号を出力する燃圧検出回路であり、前記演算装置が、前記燃圧検出回路から出力される検出信号に基づき燃料圧力を算出する場合において、
前記検出信号の電圧値に対する補正値を、前記偏差に基づき算出する補正値算出手段と、
燃料温度と関連付けて前記補正値を記憶する記憶手段と、
を備え、
前記演算装置は、前記記憶手段に記憶された補正値を用いて前記燃料圧力を算出することを特徴とする請求項４に記載の燃料噴射弁用検出装置。
【請求項６】
前記センサ装置は、前記燃圧検出回路に加え、燃料温度に応じて検出信号を出力する燃温検出回路を有し、
前記演算装置は、前記燃料圧力の算出に加え、前記燃温検出回路から出力される検出信号に基づき燃料温度を算出し、
燃料温度と関連付けて前記補正値を前記記憶手段に記憶させるにあたり、前記演算装置により算出された燃料温度を用いて関連付けさせることを特徴とする請求項５に記載の燃料噴射弁用検出装置。
【請求項７】
前記センサ装置は、前記検出回路と並列して設けられた変圧回路を有し、
前記比較電圧は、前記変圧回路により前記印加電圧を低下させたものであることを特徴とする請求項１〜６のいずれか１つに記載の燃料噴射弁用検出装置。
【請求項８】
前記センサ装置から前記演算装置へ前記検出信号を伝送する信号線を備え、
前記センサ装置は、前記検出回路を前記信号線に接続させる検出信号出力状態と、前記変圧回路を前記信号線に接続させる比較電圧出力状態とに切り替える、スイッチ手段を有することを特徴とする請求項７に記載の燃料噴射弁用検出装置。
【請求項９】
前記スイッチ手段は、前記燃料噴射弁から燃料を噴射していない非噴射時に、前記比較電圧出力状態に切り替えることを特徴とする請求項８に記載の燃料噴射弁用検出装置。
【請求項１０】
前記スイッチ手段は、所定燃焼サイクル毎又は所定時間毎に、前記比較電圧出力状態に切り替えることを特徴とする請求項９に記載の燃料噴射弁用検出装置。
【請求項１１】
前記基準電圧を、前記演算装置が有するマイクロコンピュータの作動電圧としたことを特徴とする請求項１〜１０のいずれか１つに記載の燃料噴射弁用検出装置。
【請求項１２】
前記基準電圧を、前記演算装置が有するマイクロコンピュータの作動電圧及び前記印加電圧の平均値としたことを特徴とする請求項１〜１０のいずれか１つに記載の燃料噴射弁用検出装置。
【請求項１３】
前記偏差算出手段は、異なるタイミングで取得された複数の前記比較電圧の平均値を用いて前記偏差を算出することを特徴とする請求項１〜１２のいずれか１つに記載の燃料噴射弁用検出装置。
【請求項１４】
前記比較電圧及び前記検出信号の少なくとも一方が正常範囲を超えた値である場合には、対応する前記センサ装置が異常である判定することを特徴とする請求項１〜１３のいずれか１つに記載の燃料噴射弁用検出装置。
【発明の詳細な説明】
【技術分野】
【０００１】
本発明は、内燃機関に設けられた燃料噴射弁での燃料圧力又は燃料温度を検出する、燃料噴射弁用検出装置に関する。
【背景技術】
【０００２】
近年では、燃料の圧力（燃圧）を検出するセンサ装置を燃料噴射弁に搭載し、燃料噴射に伴い生じる燃圧の変化から燃料の噴射率変化を推定し、推定した噴射率変化から実際の噴射開始タイミングや噴射量を算出する技術が提案されている（特許文献１参照）。この場合のセンサ装置は、燃圧に応じて検出信号を出力する検出回路を有しており、ＥＣＵ（演算装置）は、センサ装置から出力される検出信号の電圧値に基づき燃圧を算出する。
【先行技術文献】
【特許文献】
【０００３】
【特許文献１】特開２００９−７４５３６号公報
【発明の概要】
【発明が解決しようとする課題】
【０００４】
しかしながら、検出回路への印加電圧が、想定している電圧からずれている場合があり、この場合には、検出信号の値と実際の燃圧との対応関係にもずれが生じることとなり、その結果、ＥＣＵで算出される燃圧が実際の燃圧からずれてしまう。
【０００５】
なお、検出回路の検出対象物理量が燃圧ではなく燃料温度（燃温）の場合でも同様であり、ＥＣＵにより算出した燃温が実際の燃温からずれるといった問題が生じ得る。
【０００６】
本発明は、上記課題を解決するためになされたものであり、その目的は、燃料噴射弁での燃圧又は燃温をセンサ装置で検出して演算装置で算出するにあたり、その算出精度の向上を図った燃料噴射弁用検出装置を提供することにある。
【課題を解決するための手段】
【０００７】
以下、上記課題を解決するための手段、及びその作用効果について記載する。
【０００８】
請求項１記載の発明では、検出対象物理量（燃圧又は燃温）に応じて検出信号を出力する検出回路を有したセンサ装置と、基準電圧に対する検出信号の電圧値に基づき燃圧又は燃温を算出する演算装置（ＥＣＵ）と、を備える。そして演算装置は、検出回路への印加電圧に応じた比較電圧を取得する取得手段、及び取得した比較電圧と基準電圧との偏差を算出する偏差算出手段を有し、センサ装置は、算出された偏差を小さくするよう印加電圧を調整する印加電圧調整手段を有することを特徴とする。
【０００９】
これによれば、演算装置は、検出回路への印加電圧に応じた比較電圧を取得し、取得した比較電圧と基準電圧との偏差を算出する。そしてセンサ装置は、算出された前記偏差を小さくするよう印加電圧を調整する。そのため、検出回路への印加電圧が、想定している電圧（基準電圧）からずれていた場合であっても、そのずれ（前記偏差に相当）が小さくなるよう印加電圧が調整されるので、検出信号の値と実際の燃圧又は燃温との対応関係に生じるずれを低減でき、その結果、演算装置で算出される燃圧又は燃温が実際の燃圧又は燃温からずれることを抑制できる。よって、燃圧又は燃温の算出精度向上を図ることができる。
【００１０】
しかも、複数気筒を有する内燃機関であって各気筒に燃料噴射弁が設けられている場合において、各燃料噴射弁のセンサ装置に対して印加電圧調整手段により印加電圧を調整すれば、複数のセンサ装置における印加電圧を基準電圧に揃えることができる。
【００１１】
請求項２記載の発明では、前記検出回路が、燃料圧力に応じて検出信号を出力する燃圧検出回路であり、前記演算装置が、前記燃圧検出回路から出力される検出信号に基づき燃料圧力を算出する場合において、前記印加電圧に対する調整量を前記偏差に基づき算出する調整量算出手段と、算出した前記調整量を燃料温度と関連付けて記憶する記憶手段と、を備え、前記印加電圧調整手段は、前記記憶手段に記憶された調整量に基づき前記印加電圧を調整することを特徴とする。
【００１２】
ここで、燃圧検出回路が温度特性を有する場合には、燃圧検出回路から出力される検出信号は、実際の燃圧が同じであってもその時の燃温に応じて異なる値となる。この点を鑑みた上記発明では、燃温と関連付けて記憶された調整量に基づき印加電圧を調整するので、前記温度特性を加味して印加電圧が調整されることとなる。そのため、想定している電圧（基準電圧）に対する印加電圧のずれを高精度で低減でき、ひいては燃圧の算出精度をより一層向上できる。
【００１３】
請求項３記載の発明では、前記センサ装置は、前記燃圧検出回路に加え、燃料温度に応じて検出信号を出力する燃温検出回路を有し、前記演算装置は、前記燃料圧力の算出に加え、前記燃温検出回路から出力される検出信号に基づき燃料温度を算出し、燃料温度と関連付けて前記調整量を前記記憶手段に記憶させるにあたり、前記演算装置により算出された燃料温度を用いて関連付けさせることを特徴とする。
【００１４】
これによれば、燃料噴射弁に搭載された燃温検出回路により燃温を検出するので、燃料噴射弁の外部（例えばコモンレール、又はコモンレールへ燃料を供給する高圧ポンプの出口部分）で燃温を検出する場合に比べて、燃圧検出回路に近い部分の温度を検出することができる。よって、上述した温度特性を精度良く調整量に反映させることができ、ひいては、基準電圧に対する印加電圧のずれを高精度で低減できる。
【００１５】
請求項４記載の発明では、検出対象物理量（燃圧又は燃温）に応じて検出信号を出力する検出回路を有したセンサ装置と、基準電圧に対する検出信号の電圧値に基づき燃圧又は燃温を算出する演算装置（ＥＣＵ）と、を備える。そして演算装置は、検出回路への印加電圧に応じた比較電圧を取得する取得手段、及び取得した比較電圧と基準電圧との偏差を算出する偏差算出手段を有し、算出した偏差を加味して燃圧又は燃温を算出することを特徴とする。
【００１６】
これによれば、演算装置は、検出回路への印加電圧に応じた比較電圧を取得し、取得した比較電圧と基準電圧との偏差を算出し、算出した偏差を加味して燃圧又は燃温を算出する。そのため、検出回路への印加電圧が、想定している電圧（基準電圧）からずれている場合であっても、そのずれ（前記偏差に相当）を加味して燃圧又は燃温が算出されるので、燃圧又は燃温の算出精度向上を図ることができる。
【００１７】
しかも、複数気筒を有する内燃機関であって各気筒に燃料噴射弁が設けられている場合において、各センサ装置の検出信号から前記偏差を加味して燃圧又は燃温を算出するにあたり、共通の基準電圧に基づき補正して算出することとなるので、基準電圧と比較電圧とのずれが生じていたとしても、そのずれ量を各センサ装置で同じにできる。
【００１８】
請求項５記載の発明では、前記検出回路が、燃料圧力に応じて検出信号を出力する燃圧検出回路であり、前記演算装置が、前記燃圧検出回路から出力される検出信号に基づき燃料圧力を算出する場合において、前記検出信号の電圧値に対する補正値を、前記偏差に基づき算出する補正値算出手段と、燃料温度と関連付けて前記補正値を記憶する記憶手段と、を備え、前記演算装置は、前記記憶手段に記憶された補正値を用いて前記燃料圧力を算出することを特徴とする。
【００１９】
ここで、燃圧検出回路が温度特性を有する場合には、燃圧検出回路から出力される検出信号は、実際の燃圧が同じであってもその時の燃温に応じて異なる値となる。この点を鑑みた上記発明では、燃温と関連付けて記憶された補正値を用いて燃圧を算出するので、前記温度特性を加味して燃圧を算出でき、ひいては燃圧の算出精度をより一層向上できる。
【００２０】
請求項６記載の発明では、前記センサ装置は、前記燃圧検出回路に加え、燃料温度に応じて検出信号を出力する燃温検出回路を有し、前記演算装置は、前記燃料圧力の算出に加え、前記燃温検出回路から出力される検出信号に基づき燃料温度を算出し、燃料温度と関連付けて前記補正値を前記記憶手段に記憶させるにあたり、前記演算装置により算出された燃料温度を用いて関連付けさせることを特徴とする。
【００２１】
これによれば、燃料噴射弁に搭載された燃温検出回路により燃温を検出するので、燃料噴射弁の外部（例えばコモンレール、又はコモンレールへ燃料を供給する高圧ポンプの出口部分）で燃温を検出する場合に比べて、燃圧検出回路に近い部分の温度を検出することができる。よって、上述した温度特性を精度良く補正値に反映させることができ、ひいては、基準電圧に対する印加電圧のずれを高精度で低減できる。
【００２２】
請求項７記載の発明では、前記センサ装置は、前記検出回路と並列して設けられた変圧回路を有し、前記比較電圧は、前記変圧回路により前記印加電圧を低下させたものであることを特徴とする。
【００２３】
ここで、一般的な演算装置は、上限値（例えば５Ｖ）を超えた信号が入力されてきても、その信号を読み取ることができない。したがって、上記発明に反して印加電圧をそのまま比較電圧として用いた場合には、印加電圧が想定している値（例えば５Ｖ）よりも高くなっていると、印加電圧（比較電圧）を読み取ることができなくなるため、比較電圧と基準電圧との偏差を正確に算出できなくなる。
【００２４】
この点を鑑みた上記発明によれば、検出回路と並列して設けられた変圧回路により印加電圧を低下させ、その低下させた電圧を比較電圧として用いるので、印加電圧が想定値（５Ｖ）よりも高い側にずれていたとしても、演算装置の読取可能な上限値（５Ｖ）を比較電圧が超えてしまうおそれを低減できる。よって、比較電圧と基準電圧との偏差を正確に算出できるので、燃圧又は燃温の算出精度向上を図ることができる。
【００２５】
請求項８記載の発明では、前記センサ装置から前記演算装置へ前記検出信号を伝送する信号線を備え、前記センサ装置は、前記検出回路を前記信号線に接続させる検出信号出力状態と、前記変圧回路を前記信号線に接続させる比較電圧出力状態とに切り替える、スイッチ手段を有することを特徴とする。
【００２６】
これによれば、１本の信号線を用いて、検出信号及び比較電圧の両方を演算装置へ伝送できるので、検出信号を伝送するための信号線と比較電圧を伝送するための線とを別々に備える場合に比べて、伝送線の本数を低減できる。
【００２７】
請求項９記載の発明では、前記スイッチ手段は、前記燃料噴射弁から燃料を噴射していない非噴射時に、前記比較電圧出力状態に切り替えることを特徴とする。
【００２８】
ここで、燃料噴射に伴い生じる燃圧の変化から燃料の噴射率変化を推定し、推定した噴射率変化から実際の噴射開始タイミングや噴射量を算出する場合には、燃料噴射中の燃圧変化を取得することを要するため、非噴射時に比較電圧出力状態に切り替える上記発明によれば、燃料噴射中の燃圧変化を取得できるので好適である。
【００２９】
請求項１０記載の発明では、前記スイッチ手段は、所定燃焼サイクル毎又は所定時間毎に、前記比較電圧出力状態に切り替えることを特徴とする。
【００３０】
これによれば、基準電圧を定期的に取得できるので、基準電圧と比較電圧との偏差を定期的に更新できるので、前記偏差の算出値を高精度にできる。特に、先述した温度特性を加味して調整量又は補正値を算出させる場合には、異なる温度領域毎に比較電圧を取得して学習することを要することになるが、上記発明により基準電圧を定期的に取得すれば、多くの温度領域に対して基準電圧を取得できるので、調整量又は補正値の算出精度を向上できる。
【００３１】
なお、比較電圧出力状態に切り替える頻度を高くするほど調整量又は補正値の算出精度を向上できるが、その背反として演算装置による算出負荷が大きくなる。この点を鑑みて、例えば、比較電圧出力状態に切り替える頻度を、毎噴射ごと、数噴射おき、数時間毎とすることが具体例として挙げられる。また、複数気筒を有する内燃機関において、各気筒に燃料噴射弁が設けられている場合には、各気筒に対して、比較電圧を取得して調整量又は補正値を算出することが望ましい。
【００３２】
次に、前記基準電圧に関し、請求項１１記載の如く演算装置が有するマイクロコンピュータ（マイコン）の作動電圧を基準電圧とすれば、請求項１２記載の如く前記作動電圧及び印加電圧の平均値を基準電圧とした場合に比べて、基準電圧を算出する際の算出処理負荷を軽減できる。
【００３３】
一方、請求項１２記載の如くマイコンの作動電圧及び印加電圧の平均値を基準電圧とすれば、マイコンの作動電圧が想定した電圧に対して大きくずれている場合であっても、作動電圧と印加電圧との平均をとることで、基準電圧が印加電圧から大きくずれてしまうことを回避できる。
【００３４】
請求項１３記載の発明では、前記偏差算出手段は、異なるタイミングで取得された複数の前記比較電圧の平均値を用いて前記偏差を算出することを特徴とする。これによれば、比較電圧にばらつきが生じている場合であってもそのばらつきが平均化されるので、前記ばらつきが燃圧又は燃温の算出精度向上の妨げになることを抑制できる。
【００３５】
なお、比較電圧を演算装置に伝送するにあたり、複数の比較電圧を連続して１回で伝送し、前記複数の比較電圧から上述の平均値を算出してもよいし、別々のタイミングで伝送された複数の比較電圧から上述の平均値を算出してもよい。また、複数気筒を有する内燃機関において、各気筒に燃料噴射弁が設けられている場合には、各気筒に対する検出回路への印加電圧を取得し、取得した気筒毎の印加電圧の平均値を基準電圧として用いるようにしてもよい。
【００３６】
請求項１４記載の発明では、前記比較電圧及び前記検出信号の少なくとも一方が正常範囲を超えた値である場合には、対応する前記センサ装置が異常である判定することを特徴とする。これによれば、印加電圧の調整に用いる比較電圧、或いは検出信号を用いてセンサ装置の異常を判定するので、異常判定専用のセンサを要することなくセンサ装置の異常判定を実施できる。
【図面の簡単な説明】
【００３７】
【図１】本発明の第１実施形態にかかる燃料噴射弁用検出装置の、制御対象となる燃料噴射システムの概略を示す図。
【図２】図１に示すセンサ装置の回路構成を示す図。
【図３】複数気筒＃１〜＃４の各々に設けられたセンサ装置とＥＣＵとの接続構造を示す図。
【図４】（ａ）は図１に示す燃料噴射弁への指令信号、（ｂ）は指令信号に伴い変化する噴射率、（ｃ）は図１に示す燃圧検出センサにより検出された検出圧力を示すタイムチャート。
【図５】図２に示すセンサ装置及びＥＣＵにより印加電圧を調整する処理の手順を示すフローチャート。
【図６】本発明の第２実施形態にかかる、センサ装置の回路構成を示す図。
【図７】図６に示すセンサ装置及びＥＣＵにより検出信号を補正する処理の手順を示すフローチャート。
【発明を実施するための形態】
【００３８】
以下、本発明を具体化した各実施形態を図面に基づいて説明する。なお、以下の各実施形態相互において、互いに同一もしくは均等である部分には、図中、同一符号を付しており、同一符号の部分についてはその説明を援用する。
【００３９】
（第１実施形態）
本実施形態のセンサシステムは、車両用のエンジン（内燃機関）に搭載されたものであり、当該エンジンには、複数の気筒＃１〜＃４について高圧燃料を噴射して圧縮自着火燃焼させるディーゼルエンジンを想定している。
【００４０】
図１は、上記エンジンの各気筒に搭載された燃料噴射弁１０、燃料噴射弁１０に搭載されたセンサ装置２０、及び車両に搭載された電子制御ユニット（ＥＣＵ３０）等を示す模式図である。
【００４１】
先ず、燃料噴射弁１０を含むエンジンの燃料噴射系について説明する。燃料タンク４０内の燃料は、高圧ポンプ４１によりコモンレール４２（蓄圧容器）に圧送されて蓄圧され、各気筒の燃料噴射弁１０へ分配供給される。
【００４２】
燃料噴射弁１０は、以下に説明するボデー１１、ニードル１２（弁体）及びアクチュエータ１３等を備えて構成されている。ボデー１１は、内部に高圧通路１１ａを形成するとともに、燃料を噴射する噴孔１１ｂを形成する。ニードル１２は、ボデー１１内に収容されて噴孔１１ｂを開閉する。アクチュエータ１３は、ニードル１２を開閉作動させる。
【００４３】
そして、ＥＣＵ３０がアクチュエータ１３の駆動を制御することで、ニードル１２の開閉作動が制御される。これにより、コモンレール４２から高圧通路１１ａへ供給された高圧燃料は、ニードル１２の開閉作動に応じて噴孔１１ｂから噴射される。例えばＥＣＵ３０は、エンジン出力軸の回転速度及びエンジン負荷等に基づき、噴射開始時期、噴射終了時期及び噴射量等の噴射態様を算出し、算出した噴射態様となるよう、アクチュエータ１３の駆動を制御する。
【００４４】
次に、センサ装置２０のハード構成について説明する。
【００４５】
センサ装置２０は、以下に説明するステム２１（起歪体）、燃圧検出回路２２、燃温検出回路２３、モールドＩＣ２４等を備えて構成されている。ステム２１はボデー１１に取り付けられており、ステム２１に形成されたダイヤフラム部２１ａが高圧通路１１ａを流通する高圧燃料の圧力を受けて弾性変形する。
【００４６】
燃圧検出回路２２は、ダイヤフラム部２１ａに取り付けられた感圧抵抗素子により構成されたブリッジ回路であり、ステム２１の歪量つまり高圧燃料の圧力（燃圧）に応じて感圧抵抗素子の抵抗値が変化することで、そのブリッジ回路（燃圧検出回路２２）は燃圧に応じた圧力検出信号を出力する。
【００４７】
燃温検出回路２３は、ダイヤフラム部２１ａに取り付けられた感温抵抗素子により構成されたブリッジ回路であり、燃料の温度に依存して変化するステム２１の温度（燃温）に応じて感温抵抗素子の抵抗値が変化することで、そのブリッジ回路（燃温検出回路２３）は燃温に応じた温度検出信号を出力する。
【００４８】
モールドＩＣ２４は、ステム２１とともに燃料噴射弁１０に搭載されており、図２に示す信号処理回路２５ａ、通信回路２５ｂ及びメモリ２５ｃ等のＩＣチップ２５と、第１変圧回路２６ａ及び第２変圧回路２６ｂと、切替スイッチ２７とを、樹脂モールドして形成されている。ボデー１１上部にはコネクタ１４が設けられており、コネクタ１４に接続されたハーネス１５によりモールドＩＣ２４とＥＣＵ３０とは電気接続される。図２及び図３に示すように、ハーネス１５には、アクチュエータ１３及びセンサ装置２０へ電力供給する電力線１５ａ、通信線１５ｂ及び信号線１５ｃ等が含まれている。
【００４９】
図２は、センサ装置２０の回路構成を示す図である。
【００５０】
センサ装置２０には、車載バッテリ５０からバッテリ電圧（１２Ｖ）で電力供給されており、バッテリ５０から供給された電力は、第１変圧回路２６ａにより例えば５Ｖへ降圧され、燃圧検出回路２２及び燃温検出回路２３へ供給される。つまり、燃圧検出回路２２及び燃温検出回路２３への印加電圧（５Ｖ）は、バッテリ電圧を第１変圧回路２６ａにより降圧することで生成される。第２変圧回路２６ｂは、第１変圧回路２６ａにより降圧された印加電圧をさらに降圧する。この第２変圧回路２６ｂにより例えば２．５Ｖに降圧された電圧が「比較電圧」に相当する。
【００５１】
電力供給された燃圧検出回路２２及び燃温検出回路２３は、上述の如く圧力検出信号及び温度検出信号を出力し、第２変圧回路２６ｂは比較電圧を出力するが、これらの検出信号及び比較電圧は、信号線１５ｃによりＥＣＵ３０へ伝送される。切替スイッチ２７（スイッチ手段）は、これらの検出信号及び比較電圧のうちいずれをＥＣＵ３０へ伝送するかを切り替えるスイッチであり、ＩＣチップ２５から送信されてくる切替指令に基づき切り替える。
【００５２】
なお、切替スイッチ２７が圧力検出信号又は温度検出信号を伝送するよう切り替えている状態が「検出信号出力状態」に相当し、比較電圧を伝送するよう切り替えている状態が「比較電圧出力状態」に相当する。
【００５３】
また、ＩＣチップ２５には、第１変圧回路２６ａで降圧された電圧（５Ｖ）及びバッテリ電圧（１２Ｖ）の両電圧で電力供給されている。信号処理回路２５ａ、通信回路２５ｂ及びメモリ２５ｃは、第１変圧回路２６ａで降圧された電圧により作動するが、ＥＣＵ３０と通信を行う際にはバッテリ電圧を要する。
【００５４】
図３（ａ）は、ＥＣＵ３０の回路構成を示すとともに、複数気筒＃１〜＃４の各々に設けられたセンサ装置２０とＥＣＵ３０との接続構造を示す図である。図３（ａ）に示すように、１つのＥＣＵ３０に対して複数のセンサ装置２０が１対１で接続されている。換言すれば、通信線１５ｂ及び信号線１５ｃはセンサ装置２０毎に設けられており、複数のセンサ装置２０の各々に接続された通信線１５ｂ及び信号線１５ｃは、ＥＣＵ３０が有する複数の通信ポート３０ｂ及び信号ポート３０ｃにそれぞれ接続されている。
【００５５】
ＥＣＵ３０は、ＣＰＵ及びメモリ等を有して構成されるマイクロコンピュータ（マイコン３１）、通信回路３２、ＡＤ変換回路３３及び変圧回路３４を有して構成されている。ＥＣＵ３０には、車載バッテリ５０からバッテリ電圧（１２Ｖ）で電力供給されており、バッテリ５０から供給された電力は、変圧回路３４により例えば５Ｖへ降圧され、マイコン３１へ供給される。この変圧回路３４により降圧された電圧が「作動電圧」に相当する。なお、通信回路３２はバッテリ電圧で作動する。
【００５６】
マイコン３１は、圧力検出信号、温度検出信号及び比較電圧のいずれに切り替えるかを決定し、当該決定に基づく切替指令信号は、通信回路３２を通じてＥＣＵ３０からセンサ装置２０のＩＣチップ２５へ送信される。この切替指令信号はデジタル信号であり、通信線１５ｂを通じてビット列で伝送される。
【００５７】
一方、切替スイッチ２７により選択された圧力検出信号、温度検出信号及び比較電圧のいずれかは、信号線１５ｃを通じてアナログ信号のまま信号ポート３０ｃからＥＣＵ３０へ入力され、ＡＤ変換回路３３によりアナログ信号からデジタル信号に変換され、マイコン３１へ入力される。
【００５８】
なお、切替指令信号に基づき切替スイッチ２７が前記切り替えを実行すると、その実行を開始したタイミングで応答信号をＩＣチップ２５からＥＣＵ３０へ送信する。これによりマイコン３１は、検出信号及び比較電圧の切替タイミングを認識することができるので、受信した信号を圧力検出信号、温度検出信号及び比較電圧に切り分けて認識することを正確にできる。
【００５９】
なお、両通信回路３２、２５ｂを接続する通信線１５ｂでは、上述の如く切替指令信号及び応答信号を送信することが要求されるため、双方向通信が可能となるよう構成されている。これに対し信号線１５ｃは、センサ装置２０からＥＣＵ３０への一方向に送信可能となるよう構成されている。
【００６０】
燃料噴射弁１０が開弁作動して燃料を噴射している期間中は、圧力検出信号を出力する状態に切り替える。これは、図４を用いて後述するように、燃料噴射期間中に生じる燃料圧力の変動波形（図４（ｃ）参照）を取得することで、噴射率の変化を推定するためである。したがって、燃料を噴射している最中には、圧力検出信号から他の信号（温度検出信号又は比較電圧）に切り替えることを禁止する。また、燃料を噴射していない非噴射時には、後述する比較電圧を出力する比較電圧出力状態、或いは、温度検出信号を出力する状態に切り替える。
【００６１】
以上により、ＥＣＵ３０のマイコン３１は、各気筒＃１〜＃４の燃料噴射弁１０に対して燃料圧力、燃料温度及び比較電圧を取得することができる。
【００６２】
圧力検出信号は、燃圧のみならずセンサ温度（燃温）にも依存して変化する。つまり、実際の燃料圧力が同じであっても、その時のセンサ温度が異なれば圧力検出信号は異なる値となる。この点を鑑みマイコン３１は、取得した燃料温度に基づき、取得した燃料圧力を補正して温度補償を行う。さらにマイコン３１は、このように算出された検出圧力を用いて、噴孔１１ｂからの燃料の噴射開始時期、噴射時間及び噴射量等の噴射態様を算出する処理を行う。
【００６３】
以下、噴射態様の算出手法について、図４を用いて説明する。
【００６４】
図４（ａ）は、燃料噴射弁１０のアクチュエータ１３へＥＣＵ３０から出力される噴射指令信号を示しており、この指令信号のパルスオンによりアクチュエータ１３が作動して噴孔１１ｂが開弁する。つまり、噴射指令信号のパルスオン時期ｔ１により噴射開始が指令され、パルスオフ時期ｔ２により噴射終了が指令される。よって、指令信号のパルスオン期間（噴射指令期間）により噴孔１１ｂの開弁時間Ｔｑを制御することで、噴射量Ｑを制御している。
【００６５】
図４（ｂ）は、上記噴射指令に伴い生じる噴孔１１ｂからの燃料噴射率の変化（推移）を示し、図４（ｃ）は、噴射率の変化に伴い生じる検出圧力の変化（変動波形）を示す。検出圧力の変動と噴射率の変化とは以下に説明する相関があるため、検出圧力の変動波形から噴射率の推移波形を推定することができる。
【００６６】
すなわち、先ず、図４（ａ）に示すように噴射開始指令がなされたｔ１時点の後、噴射率がＲ１の時点で上昇を開始して噴射が開始される。一方、検出圧力は、Ｒ１の時点で噴射率が上昇を開始したことに伴い変化点Ｐ１にて下降を開始する。その後、Ｒ２の時点で噴射率が最大噴射率に到達したことに伴い、検出圧力の下降は変化点Ｐ２にて停止する。次に、Ｒ２の時点で噴射率が下降を開始したことに伴い、検出圧力は変化点Ｐ２にて上昇を開始する。その後、Ｒ３の時点で噴射率がゼロになり実際の噴射が終了したことに伴い、検出圧力の上昇は変化点Ｐ３にて停止する。
【００６７】
以上により、検出圧力の変動のうち変化点Ｐ１及びＰ３を検出することで、これらと相関のある噴射率の上昇開始時点Ｒ１（実噴射開始時点）及び下降終了時点Ｒ３（実噴射終了時点）を算出することができる。また、検出圧力の変動から圧力下降率Ｐα、圧力上昇率Ｐγ及び圧力下降量Ｐβを検出することで、これらと相関のある噴射率上昇率Ｒα、噴射率下降率Ｒγ及び噴射率上昇量Ｒβを算出することができる。
【００６８】
さらに、実噴射開始から終了までの噴射率の積分値（斜線を付した符号Ｓに示す部分の面積）は噴射量Ｑに相当する。そして、検出圧力の変動波形のうち実噴射開始から終了までの噴射率変化に対応する部分（変化点Ｐ１〜Ｐ３の部分）の圧力の積分値と、噴射率の積分値Ｓとは相関がある。よって、検出圧力の変動から圧力積分値を算出することで、噴射量Ｑに相当する噴射率積分値Ｓを算出することができる。
【００６９】
ところで、燃圧検出回路２２及び燃温検出回路２３への印加電圧が、想定している電圧（５Ｖ）からずれている場合がある。この場合には、圧力検出信号の値と実際の燃圧との対応関係にもずれが生じることとなり、その結果、ＥＣＵ３０で算出される燃圧が実際の燃圧からずれてしまう。同様にして、温度検出信号の値と実際の燃圧との対応関係にもずれが生じることとなり、その結果、ＥＣＵ３０で算出される燃温が実際の燃温からずれてしまう。
【００７０】
そこで本実施形態では、以下に説明する制御を実施することで、前記ずれの解消を図っている。すなわち、マイコン３１の作動電圧を基準電圧とし、センサ装置２０からＥＣＵ３０へ送信されてきた比較電圧と基準電圧との偏差を算出する。そして、算出した偏差を小さくするよう第１変圧回路２６ａでの変圧値を調整して、印加電圧を調整する。これにより、実際の印加電圧が、想定する印加電圧（基準電圧）からずれることの解消を図る。
【００７１】
図５を用いてより詳細に説明すると、先ずマイコン３１は、後述するステップＳ２２での学習が終了してから所定時間が経過しているか否かを判定する（Ｓ１０）。所定時間が経過していなければ（Ｓ１０：ＮＯ）図５の処理を終了し、所定時間が経過していれば（Ｓ１０：ＹＥＳ）以降の処理Ｓ１１、Ｓ１２、Ｓ２０、Ｓ２１、Ｓ１３、Ｓ２２を実行する。つまり、以降の処理は所定時間毎に実行されることとなり、これにより、マイコン３１の処理負荷軽減を図っている。
【００７２】
続くステップＳ１１では、信号線１５ｃを通じて伝送されてくる信号が圧力検出信号であるか否か、つまり燃料噴射中であるか否かを判定する。圧力検出信号の出力中であれば（Ｓ１１：ＹＥＳ）図５の処理を終了し、出力中でなければ比較信号を出力する旨の切替指令信号を、通信線１５ｂを通じてＩＣチップ２５へ送信する（Ｓ１２）。
【００７３】
すると、信号処理回路２５ａは、前記切替指令信号に基づき比較信号を出力する旨の切替指令信号を、切替スイッチ２７へ出力する（Ｓ２０）。すると、切替スイッチ２７は比較信号を出力するよう切替作動し（Ｓ２１）、信号線１５ｃを通じて比較電圧がＥＣＵ３０へ伝送されることとなる。
【００７４】
次に、ＥＣＵ３０のマイコン３１は、伝送されてきた比較電圧に基づき実際の印加電圧を算出する。例えば、第１変圧回路２６ａにより高圧した電圧、つまり検出回路２２、２３への印加電圧（５Ｖ）を第２変圧回路２６ｂにより２分の１の電圧（２．５Ｖ）に降圧するよう設定している場合には、ＥＣＵ３０は、伝送されてきた比較電圧を２倍することで実際の印加電圧を算出することができる。
【００７５】
そして、このように算出した印加電圧と基準電圧との偏差を算出し、その偏差をゼロにするよう印加電圧に対する調整量を算出する。例えば、算出した印加電圧が５．２Ｖであり基準電圧が５Ｖであった場合には、調整量を−０．２Ｖとして算出する（Ｓ１３）。そしてマイコン３１は、算出した調整量及びその時の燃料温度を、通信線１５ｂを通じてセンサ装置２０のＩＣチップ２５へ送信する（Ｓ１４）。
【００７６】
なお、上記ステップＳ１３において、比較電圧を取得している時のマイコン３１は「取得手段」に相当し、前記偏差を算出している時のマイコン３１は「偏差算出手段」に相当し、前記調整量を算出している時のマイコン３１は「調整量算出手段」に相当する。
【００７７】
次にＩＣチップ２５は、ＥＣＵ３０から送信されてきた調整量を、燃温と関連付けてメモリ２５ｃ（記憶手段）に記憶させる。例えば、燃温毎に領域分けしたマップに、対応する燃温の領域に調整量を記憶させればよい。メモリ２５ｃには書き込み可能な不揮発性メモリ（例えばＥＥＰＲＯＭ等）が採用されており、調整量が送信されてくる都度、メモリ２５ｃに記憶された調整量を学習値として更新していく（Ｓ２２）。
【００７８】
第１変圧回路２６ａは、メモリ２５ｃにて記憶更新された調整量（学習値）の中から、現在の燃温に対応する調整量を読み取り、現状の変圧量を読み取った調整量に基づき調整変更する（Ｓ２３）。なお、上記ステップＳ２３において、現状の変圧量を調整変更している時の信号処理回路２５ａは「印加電圧調整手段」に相当する。
【００７９】
以上詳述した本実施形態によれば、以下の効果が得られるようになる。
【００８０】
（１）各検出回路２２、２３への印加電圧が、想定している電圧（基準電圧）からずれている場合であっても、そのずれ（偏差）がゼロになるよう第１変圧回路２６ａによる変圧量は調整されるので、圧力検出信号及び温度検出信号の電圧値と実際の燃圧及び燃温との対応関係に生じるずれを低減できる。よって、ＥＣＵ３０で算出される燃圧及び燃温が実際の燃圧及び燃温からずれることを抑制でき、これら燃圧及び燃温の算出精度を向上できる。
【００８１】
ちなみに、各検出回路２２、２３へはバッテリ電圧（１２Ｖ）よりも低い電圧を印加することを要するのに対し、センサ装置２０の通信回路２５ｂはバッテリ電圧（１２Ｖ）を要する。そのため、センサ装置２０へはバッテリ電圧にて電源供給し、センサ装置２０が有する第１変圧回路２６ａにより印加電圧（５Ｖ）を生成している。そのため、ＥＣＵ３０の変圧回路３４とセンサ装置２０の第１変圧回路２６ａとが異なる回路となるため、変圧回路３４で生成した作動電圧（基準電圧）と第１変圧回路２６ａで生成した印加電圧とにずれが生じやすくなる。
【００８２】
要するに、各検出回路２２、２３への印加電圧を生成する第１変圧回路２６ａと、ＥＣＵ３０の変圧回路３４とが別々に構成された本実施形態においては、印加電圧と基準電圧とのずれが生じやすいため、そのずれをゼロにするといった上記効果が好適に発揮される。
【００８３】
（２）上述の如く、本実施形態によれば基準電圧に対する印加電圧のずれを低減又は無くすことができるので、検出信号の電圧値が変化する範囲を大きくできる。そのため、ＥＣＵ３０のＡＤ変換回路３３により検出信号をＡＤ変換するにあたり、ＡＤ変換により得られるデジタル信号の分解能を大きくできる。よって、検出信号に基づきマイコン３１が燃圧又は燃温を算出するにあたり、その算出精度を向上できる。
【００８４】
（３）各気筒のセンサ装置２０において、共通した基準電圧との比較に基づき印加電圧を調整するので、各センサ装置２０の印加電圧を基準電圧に揃えることができる。よって、仮に基準電圧自体が想定する電圧からずれていたとしても、想定する基準電圧と印加電圧とのずれ量は各センサ装置２０で同じになる。よって、燃圧及び燃温の検出誤差がセンサ装置２０毎にばらつくことを回避できる。
【００８５】
（４）ここで、燃圧検出回路２２には温度特性があり、燃圧検出回路２２から出力される圧力検出信号は、実際の燃圧が同じであってもその時の燃温に応じて異なる値となる。これに対し本実施形態では、調整量を燃温と関連付けてメモリ２５ｃに記憶させ、現在の燃温に対応する調整量（学習値）に基づき第１変圧回路２６ａによる変圧量を調整するので、前記温度特性を加味して印加電圧が調整されることとなる。そのため、基準電圧に対する印加電圧のずれを高精度で低減でき、ひいては燃圧の算出精度をより一層向上できる。
【００８６】
（５）燃温と関連付けて調整量を記憶学習するにあたり、その関連付けに用いる燃温を、燃料噴射弁１０に搭載された燃温検出回路２３により検出するので、燃料噴射弁１０の外部（例えばコモンレール４２、又は高圧ポンプ４１の出口部分）で燃温を検出する場合に比べて、燃圧検出回路２２に近い部分の温度を検出することができる。よって、上述した温度特性を精度良く調整量に反映させることができ、ひいては、基準電圧に対する印加電圧のずれを高精度で低減できる。
【００８７】
（６）ここで、ＥＣＵ３０のマイコン３１は、作動電圧（例えば５Ｖ）を超えた信号が入力されてきても、その信号を読み取ることができない。したがって、印加電圧をそのまま比較電圧として用いた場合には、印加電圧が想定している値（例えば５Ｖ）よりも高くなっていると、その比較電圧を読み取ることができなくなるため、比較電圧と基準電圧との偏差を正確に算出できなくなる。
【００８８】
これに対し本実施形態では、印加電圧をそのまま比較電圧とするのではなく、第２変圧回路２６ｂにより印加電圧を降圧させたものを比較電圧として用いるので、印加電圧が基準電圧（５Ｖ）よりも高い側にずれていたとしても、マイコン３１の読取可能な上限値（作動電圧）を比較電圧が超えてしまうおそれを低減できる。よって、比較電圧と基準電圧との偏差を正確に算出できるので、燃圧又は燃温の算出精度向上を図ることができる。
【００８９】
（７）センサ装置２０及びＥＣＵ３０の間を接続して信号を伝送する伝送路として、ＥＣＵ３０からセンサ装置２０へ切替指令信号及び調整量を伝送する通信線１５ｂとは別に、センサ装置２０からＥＣＵ３０へ検出信号を伝送する信号線１５ｃを設けている。そして、検出信号については、アナログ信号の状態のまま通信線１５ｂとは別の信号線１５ｃを通じて送信するので、通信線１５ｂを通じて検出信号をビット列で送信する場合に比べて、検出信号の送信速度を高速にできる。
【００９０】
（８）切替指令信号に基づき切替スイッチ２７を作動させて、圧力検出信号、温度検出信号及び比較電圧を切り替えて送信するので、両検出信号及び比較電圧を１本の信号線１５ｃで送信することができる。よって、各々の検出信号及び比較電圧に対して別々の信号線を設ける場合に比べて、信号線１５ｃの本数を低減できる。
【００９１】
（９）ここで、燃料噴射に伴い生じる燃圧の変化から燃料の噴射率変化を推定するので、燃料噴射中の燃圧変化を取得することを要する。この点を鑑みた本実施形態では、比較電圧を伝送するタイミングを燃料の非噴射時とするので、燃料噴射中の燃圧変化を取得できる、好適である。
【００９２】
（第２実施形態）
上記第１実施形態では、取得した比較電圧と基準電圧との偏差に基づき第１変圧回路２６ａによる変圧量を調整することで、各検出回路２２、２３への印加電圧を基準電圧に一致させ、検出信号による燃圧又は燃温と実際の燃圧又は燃温とのずれ解消を図っている。これに対し本実施形態では、圧力検出信号及び温度検出信号に基づき燃圧及び燃温を算出するにあたり、取得した比較電圧と基準電圧との偏差に基づき検出信号を補正した上で前記算出を行うことで、算出結果としての燃圧又は燃温と実際の燃圧又は燃温とのずれ解消を図る。
【００９３】
以下、本実施形態と上記第１実施形態との違いを図６及び図７を用いてより詳細に説明する。
【００９４】
先ず、センサ装置２０の回路構成の違いを説明すると、上記第１実施形態ではセンサ装置２０にて調整量を記憶更新させているのに対し、本実施形態ではＥＣＵ３０にて補正値を記憶更新させている。そのため、本実施形態では、図６に示すようにメモリ２５ｃを廃止するとともに、第１変圧回路２６ａが調整量に応じて変圧量を変更することもない。
【００９５】
次に、燃圧及び燃温の算出手順について図７を用いて説明すると、ＥＣＵ３０での処理内容Ｓ１０、Ｓ１１、Ｓ１２及びセンサ装置２０での処理内容Ｓ２０、Ｓ２１は、上記第１実施形態と同じである。但し本実施形態でのＥＣＵ３０は、センサ装置２０から伝送されてきた比較電圧を用いて、検出信号の電圧値に対する補正値を算出する（Ｓ１５）。
【００９６】
具体的には、先ず、伝送されてきた比較電圧に基づき実際の印加電圧を算出する。この算出手法については上記第１実施形態と同じである。次に、算出した印加電圧と基準電圧との偏差を算出し、その偏差の分だけ圧力検出信号及び温度検出信号の電圧値を補正するよう、その補正値を算出する。例えば、算出した印加電圧が基準電圧よりも０．１Ｖ大きい場合（偏差＝０．１Ｖ）には、検出信号の電圧値から０．１Ｖだけ減算するよう補正値を算出する。
【００９７】
なお、上記ステップＳ１５において、比較電圧を取得している時のマイコン３１は「取得手段」に相当し、前記偏差を算出している時のマイコン３１は「偏差算出手段」に相当し、前記補正値を算出している時のマイコン３１は「補正値算出手段」に相当する。
【００９８】
次に、算出した補正値を燃温と関連付けてＥＣＵ３０内のメモリ（記憶手段）に記憶させる。前記メモリには書き込み可能な不揮発性メモリ（例えばＥＥＰＲＯＭ等）が採用されており、補正値を算出する都度、メモリに記憶された補正値を学習値として更新していく（Ｓ１６）。
【００９９】
マイコン３１は、センサ装置２０から伝送されてくる圧力検出信号又は温度検出信号に基づき燃圧又は燃温を算出するにあたり、これらの検出信号を前記補正値で補正し、補正後の検出信号に基づき燃圧又は燃温を算出する（Ｓ１７）。
【０１００】
以上詳述した本実施形態によれば、第１実施形態にかかる上記効果（６）〜（９）に加え、以下の効果が得られるようになる。
【０１０１】
（１’）各検出回路２２、２３への印加電圧が、想定している電圧（基準電圧）からずれている場合であっても、そのずれ（偏差）に応じて検出信号を補正するので、算出した燃圧及び燃温が実際の燃圧及び燃温からずれることを抑制でき、これら燃圧及び燃温の算出精度を向上できる。
【０１０２】
（３’）各気筒のセンサ装置２０において、共通した基準電圧との比較に基づき検出信号を補正するので、仮に基準電圧自体が想定する電圧からずれていたとしても、想定する基準電圧と印加電圧とのずれ量は各センサ装置２０で同じになる。よって、燃圧及び燃温の検出誤差がセンサ装置２０毎にばらつくことを回避できる。
【０１０３】
（４’）補正値を燃温と関連付けて記憶させ、現在の燃温に対応する補正値（学習値）に基づき検出信号を補正するので、燃圧検出回路２２の温度特性を加味して検出信号が補正され、その結果、燃圧の算出精度をより一層向上できる。
【０１０４】
（５’）燃温と関連付けて調整量を記憶学習するにあたり、その関連付けに用いる燃温を、燃料噴射弁１０に搭載された燃温検出回路２３により検出するので、燃圧検出回路２２に近い部分で検出された温度を用いて検出値を補正することができ、上述した温度特性を精度良く補正値に反映させることができる。
【０１０５】
（他の実施形態）
本発明は上記実施形態の記載内容に限定されず、以下のように変更して実施してもよい。また、各実施形態の特徴的構成をそれぞれ任意に組み合わせるようにしてもよい。
【０１０６】
・上記各実施形態では、マイコン３１の作動電圧を基準電圧として用いているが、比較電圧から算出された印加電圧と前記作動電圧との平均値を基準電圧として用いてもよい。これによれば、マイコン３１の作動電圧が想定した電圧に対して大きくずれている場合であっても、作動電圧と印加電圧との平均をとることで、基準電圧が印加電圧から大きくずれてしまうことを回避できる。
【０１０７】
・また、複数気筒の各々に設けられたセンサ装置２０の、各々の比較電圧を平均化し、その平均値を基準電圧としてもよい。或いは、このような平均値と前記作動電圧との平均を基準電圧としてもよい。
【０１０８】
・信号線１５ｃを通じて比較電圧をＥＣＵ３０へ伝送するにあたり、所定の伝送期間中に伝送された比較電圧の波形から、複数の値をサンプリングして平均化し、その平均値を基準電圧としてもよい。
【０１０９】
・複数回に亘ってＥＣＵ３０へ伝送された比較電圧の平均値を基準電圧としてもよい。例えば、ＥＣＵ３０へ前回伝送した比較電圧と今回伝送した比較電圧との平均値を基準電圧としてもよい。
【０１１０】
・上記各実施形態では、検出回路２２、２３への印加電圧を第２変圧回路２６ｂにより降圧し、その降圧した電圧を比較電圧として用いているが、第２変圧回路２６ｂを廃止して、検出回路２２、２３への印加電圧をそのまま比較電圧として用いるようにしてもよい。
【０１１１】
・図５及び図７の処理では、所定時間毎に一連の処理を実行して調整量又は補正値を更新して学習しているが、燃料噴射が行われる毎に実行するようにしてもよいし、数噴射おきに実行してもよい。但し、燃料噴射中には圧力検出信号を出力させることが望ましく、また、燃料噴射中に圧力検出信号から温度検出信号又は比較電圧に切り替えることを禁止することが望ましい。
【０１１２】
・ＥＣＵ３０へ伝送されてくる比較電圧及び検出信号の少なくとも一方が、正常範囲を超えた値である場合には、対応する気筒のセンサ装置２０が異常である旨をダイアグ信号等により報知することが望ましい。
【０１１３】
・図３（ａ）に示す例では、複数のセンサ装置２０の各々に接続された通信線１５ｂを、ＥＣＵ３０が有する複数の通信ポート３０ｂにそれぞれ接続させている。これに対し、図３（ｂ）に示す例では、１つの通信ポート３０ｂに複数の通信線１５ｂを接続し、複数のセンサ装置２０の通信線１５ｂを一部共用させることで、ＥＣＵ３０に要求される通信ポート３０ｂの数を低減させている。
【０１１４】
・図３（ｂ）の構成において、ＥＣＵ３０からセンサ装置２０へ送信する切替指令信号を、通信線１５ｂを共用させた複数のセンサ装置２０に対しては同じ内容の切替指令信号を送信して複数のセンサ装置２０が同じ切替状態となるようにしてもよい。この場合、取得した比較電圧に基づく調整量又は補正値の更新学習を、同じタイミングで一度に実施することが望ましい。
【０１１５】
なお、通信線１５ｂを共用させた複数のセンサ装置２０に対して異なる指令内容を送信するようにしてもよい。
【符号の説明】
【０１１６】
２０…センサ装置、２２…燃圧検出回路、２３…燃温検出回路、２５ｃ…メモリ（記憶手段）、２６ｂ…第２変圧回路（変圧回路）、２７…切替スイッチ（スイッチ手段）、３０…ＥＣＵ（演算装置）、Ｓ１３…取得手段、偏差算出手段、調整量算出手段、Ｓ１５…取得手段、偏差算出手段、補正値算出手段、Ｓ２３…印加電圧調整手段。
【図１】
2010285889.tif 000003
【図２】
2010285889.tif 000004
【図３】
2010285889.tif 000005
【図４】
2010285889.tif 000006
【図５】
2010285889.tif 000007
【図６】
2010285889.tif 000008
【図７】
2010285889.tif 000009